(57)【要約】【課題】対象者の状態の判定を迅速且つ客観的に行うことが可能な判定システム、及び判定プログラムを提供すること。【解決手段】  対象者の状態を判定する判定装置１００であって、対象者の成長速度を経時的に特定する対象者成長速度情報を取得する取得部１５１と、対象者とは異なる他の複数の対象者の成長速度を経時的に特定する基準成長速度曲線に基づいて、対象者の状態を判定するための判定用成長速度曲線を生成する生成部１５２と、取得部１５１が取得した対象者成長速度情報と、生成部１５２が生成した判定用成長速度曲線とに基づいて、対象者の状態を判定する判定部１５３と、を備え、生成部１５２は、基準成長速度曲線の成長速度の特徴に基づいて当該基準成長速度曲線の成長速度を複数の区分に分類し、分類した複数の区分各々に属する成長速度に基づく判定用成長速度曲線を生成する。【選択図】図１
2020149154.tif 000002
【特許請求の範囲】
【請求項１】
対象者の状態を判定する判定システムであって、
前記対象者の第１身体情報を経時的に特定する第１身体特定情報を取得する取得手段と、
前記対象者とは異なる他の複数の対象者の第２身体情報を経時的に特定する第２身体特定情報に基づいて、前記対象者の状態を判定するための判定用情報を生成する生成手段と、
前記取得手段が取得した前記第１身体特定情報と、前記生成手段が生成した前記判定用情報とに基づいて、前記対象者の状態を判定する判定手段と、
を備える判定システム。
【請求項２】
前記生成手段は、前記第２身体特定情報が特定する前記第２身体情報の特徴に基づいて、前記第２身体特定情報の前記第２身体情報を複数の区分に分類し、分類した前記複数の区分各々に属する前記第２身体情報に基づく判定用統計身体特定情報を、前記判定用情報として生成する、
請求項１に記載の判定システム。
【請求項３】
前記生成手段は、少なくとも、前記第２身体情報の経時的な変化状態を特徴として、当該第２身体情報を前記複数の区分に分類する、
請求項２に記載の判定システム。
【請求項４】
前記生成手段は、所定の基準に基づいて、前記第２身体特定情報が特定する前記第２身体情報を相互に相対化し、相対化された前記第２身体情報の経時的な変化状態を特徴として、当該第２身体情報を前記複数の区分に分類する、
請求項３に記載の判定システム。
【請求項５】
前記生成手段は、少なくとも、前記第２身体情報の特徴点の時間要素を特徴として、前記第２身体情報を前記複数の区分に分類する、
請求項２から４の何れか一項に記載の判定システム。
【請求項６】
前記判定手段は、前記複数の区分に対応する複数の前記判定用統計身体特定情報から、前記取得手段が取得した前記第１身体特定情報に対応する前記判定用統計身体特定情報を１つ選択し、選択した１つの前記判定用統計身体特定情報に基づいて、前記対象者の状態を判定する、
請求項２から５の何れか一項に記載の判定システム。
【請求項７】
前記第１身体情報は、前記対象者の成長速度であり、
前記第２身体情報は、前記他の複数の対象者の成長速度である、
請求項１から６の何れか一項に記載の判定システム。
【請求項８】
前記判定手段は、前記対象者が早発症であるか否かを、前記対象者の状態として判定する、
請求項７に記載の判定システム。
【請求項９】
対象者の状態を判定する判定プログラムであって、
コンピュータを、
前記対象者の第１身体情報を経時的に特定する第１身体特定情報を取得する取得手段と、
前記対象者とは異なる他の複数の対象者の第２身体情報を経時的に特定する第２身体特定情報に基づいて、前記対象者の状態を判定するための判定用情報を生成する生成手段と、
前記取得手段が取得した前記第１身体特定情報と、前記生成手段が生成した前記判定用情報とに基づいて、前記対象者の状態を判定する判定手段と、
として機能させる判定プログラム。
【発明の詳細な説明】
【技術分野】
【０００１】
本発明は、判定システム、及び判定プログラムに関する。
【背景技術】
【０００２】
一般的に、小児の成長において学童期は変化に富む時期であり、成長障害や肥満といった発育の問題の発見が遅れると、症状の急速な悪化や、他の問題への波及という危険性が考えられていた。特に日々小児を見守っている教育機関の役割は重要であり、例えば、小児の発育を管理するために、小学校では学校健診が行われ、定期的に小児の身体状態が計測されていた。
【０００３】
そこで、教育機関にて、小児の発育の状態を管理する装置として、発育についての情報等を記録して利用する学校管理装置（例えば、特許文献１参照）が提案されていた。そして、教育機関では、この学校管理装置の如き装置を用いて、小児の発育についての情報を記録して、記録した情報に基づいて小児の発育状態を判定していた。
【先行技術文献】
【特許文献】
【０００４】
【特許文献１】特開平６−８３８４３号公報
【発明の概要】
【発明が解決しようとする課題】
【０００５】
ところが、教育機関側で行われる小児の発育状態の判定については、専門医（例えば、学校医等）が学校管理装置に記録されている小児の情報を１人分ずつ目視確認して、自己の経験則に基づいて行っていたので、比較的長時間（例えば、１人につき１分半〜２分程度等）を要してまっており、また、専門医の主観が判定に入り込む余地があり、判定の客観性を欠いてしまう可能性があった。
【０００６】
本発明は上記問題に鑑みてなされたもので、対象者の状態の判定を迅速且つ客観的に行うことが可能な判定システム、及び判定プログラムを提供することを目的とする。
【課題を解決するための手段】
【０００７】
上述した課題を解決し、目的を達成するために、請求項１に記載の判定システムは、対象者の状態を判定する判定システムであって、前記対象者の第１身体情報を経時的に特定する第１身体特定情報を取得する取得手段と、前記対象者とは異なる他の複数の対象者の第２身体情報を経時的に特定する第２身体特定情報に基づいて、前記対象者の状態を判定するための判定用情報を生成する生成手段と、前記取得手段が取得した前記第１身体特定情報と、前記生成手段が生成した前記判定用情報とに基づいて、前記対象者の状態を判定する判定手段と、を備える。
【０００８】
また、請求項２に記載の判定システムは、請求項１に記載の判定システムにおいて、前記生成手段は、前記第２身体特定情報が特定する前記第２身体情報の特徴に基づいて、前記第２身体特定情報の前記第２身体情報を複数の区分に分類し、分類した前記複数の区分各々に属する前記第２身体情報に基づく判定用統計身体特定情報を、前記判定用情報として生成する。
【０００９】
また、請求項３に記載の判定システムは、請求項２に記載の判定システムにおいて、前記生成手段は、少なくとも、前記第２身体情報の経時的な変化状態を特徴として、当該第２身体情報を前記複数の区分に分類する。
【００１０】
また、請求項４に記載の判定システムは、請求項３に記載の判定システムにおいて、前記生成手段は、所定の基準に基づいて、前記第２身体特定情報が特定する前記第２身体情報を相互に相対化し、相対化された前記第２身体情報の経時的な変化状態を特徴として、当該第２身体情報を前記複数の区分に分類する。
【００１１】
また、請求項５に記載の判定システムは、請求項２から４の何れか一項に記載の判定システムにおいて、前記生成手段は、少なくとも、前記第２身体情報の特徴点の時間要素を特徴として、前記第２身体情報を前記複数の区分に分類する。
【００１２】
また、請求項６に記載の判定システムは、請求項２から５の何れか一項に記載の判定システムにおいて、前記判定手段は、前記複数の区分に対応する複数の前記判定用統計身体特定情報から、前記取得手段が取得した前記第１身体特定情報に対応する前記判定用統計身体特定情報を１つ選択し、選択した１つの前記判定用統計身体特定情報に基づいて、前記対象者の状態を判定する。
【００１３】
また、請求項７に記載の判定システムは、請求項１から６の何れか一項に記載の判定システムにおいて、前記第１身体情報は、前記対象者の成長速度であり、前記第２身体情報は、前記他の複数の対象者の成長速度である。
【００１４】
また、請求項８に記載の判定システムは、請求項７に記載の判定システムにおいて、前記判定手段は、前記対象者が早発症であるか否かを、前記対象者の状態として判定する。
【００１５】
また、請求項９に記載の判定プログラムは、対象者の状態を判定する判定プログラムであって、コンピュータを、前記対象者の第１身体情報を経時的に特定する第１身体特定情報を取得する取得手段と、前記対象者とは異なる他の複数の対象者の第２身体情報を経時的に特定する第２身体特定情報に基づいて、前記対象者の状態を判定するための判定用情報を生成する生成手段と、前記取得手段が取得した前記第１身体特定情報と、前記生成手段が生成した前記判定用情報とに基づいて、前記対象者の状態を判定する判定手段と、として機能させる。
【発明の効果】
【００１６】
請求項１に記載の判定システム、及び請求項９に記載の判定プログラムによれば、取得した第１身体特定情報と、生成した判定用情報とに基づいて、対象者の状態を判定することにより、例えば、対象者の状態の判定を迅速且つ客観的に行うことが可能となる。特に、例えば、対象者の成長過程の個人差を考慮して、適切に判定することが可能となる。
【００１７】
請求項２に記載の判定システムによれば、第２身体情報の特徴に基づいて第２身体情報を複数の区分に分類し、分類した複数の区分各々に属する第２身体情報に基づく判定用統計身体特定情報を生成することにより、例えば、第２身体情報の特徴を判定用統計身体特定情報に反映させることができるので、対象者の状態の判定精度を向上させることが可能となる。
【００１８】
請求項３に記載の判定システムによれば、第２身体情報の経時的な変化状態を特徴として、当該第２身体情報を複数の区分に分類することにより、例えば、第２身体情報の経時的な変化状態を判定用統計身体特定情報に反映させることができるので、対象者の状態の判定精度を向上させることが可能となる。
【００１９】
請求項４に記載の判定システムによれば、所定の基準に基づいて、第２身体情報を相互に相対化し、相対化された第２身体情報の経時的な変化状態を特徴として、当該第２身体情報を複数の区分に分類することにより、例えば、第２身体情報の分類精度を向上させることができるので、対象者の状態の判定精度を向上させることが可能となる。
【００２０】
請求項５に記載の判定システムによれば、第２身体情報の特徴点の時間要素を特徴として、第２身体情報を複数の区分に分類することにより、例えば、第２身体情報の特徴点の時間要素を判定用統計身体特定情報に反映させることができるので、対象者の状態の判定精度を向上させることが可能となる。
【００２１】
請求項６に記載の判定システムによれば、複数の区分に対応する複数の判定用統計身体特定情報から、取得した第１身体特定情報に対応する判定用統計身体特定情報を１つ選択し、選択した１つの判定用統計身体特定情報に基づいて、対象者の状態を判定することにより、例えば、対象者の状態を比較的単純な処理で判定することができるので、迅速に判定することが可能となる。
【００２２】
請求項７に記載の判定システムによれば、第１身体情報は対象者の成長速度であり、第２身体情報は他の複数の対象者の成長速度であるので、例えば、成長速度に基づいて対象者の状態を判定することが可能となる。
【００２３】
請求項８に記載の判定システムによれば、対象者が早発症であるか否かを対象者の状態として判定することにより、例えば、対象者が早発症であるかの判定を迅速且つ客観的に行うことが可能となる。
【図面の簡単な説明】
【００２４】
【図１】本実施の形態に係る判定装置のブロック図である。
【図２】判定処理のフローチャートである。
【図３】判定用成長速度曲線生成処理のフローチャートである。
【図４】１人分の基準成長速度曲線を例示した図である。
【図５】複数人分の基準成長速度曲線を例示した図である。
【図６】基準成長速度曲線を分類手法の説明図である。
【図７】第１〜第４クラスターを示す図である。
【図８】判定用成長速度曲線を例示した図である。
【図９】対象者成長速度情報を例示した図である。
【発明を実施するための形態】
【００２５】
以下に、本発明に係る判定システム、及び判定プログラムの実施の形態を図面に基づいて詳細に説明する。なお、この実施の形態によりこの発明が限定されるものではない。
【００２６】
〔実施の形態の基本的概念〕
まずは、実施の形態の基本的概念について説明する。実施の形態は、概略的に、判定システム、及び判定プログラムに関するものである。
【００２７】
ここで、「判定システム」とは、対象者の状態を判定するシステムであり、例えば、対象者の発育状態を判定するシステムであり、一例としては、思春期早発症であるか否か、その他の任意の症状であるか否かを判定するシステムである。なお、「思春期早発症であるか否か」とは、例えば、思春期が想定よりも早い段階ではじまる可能性があるか否か等を含む概念である。「判定システム」とは、例えば、取得手段、生成手段、及び判定手段を備える。この判定システムは、例えば、汎用システムに対して判定プログラムをインストールすることにより前述の各手段を実装したもの、あるいは、各手段を備えている専用システムとして構成したもの等を含む概念である。
【００２８】
また、「対象者」とは、判定の対象となる者であり、具体的には、判定システムを用いて判定される者であり、例えば、小児、大人、老人、男性、及び女性等を含む概念である。「対象者の状態」とは、判定の対象となる対象者のありさまであり、具体的には、判定システムを用いて判定される対象者のありさまであり、例えば、発育状態、健康状態、学習能力の状態、老化の状態、及び認知能力の状態等を含む概念であり、一例としては、前述の思春期早発症であるか否か等を含む概念である。
【００２９】
また、「取得手段」とは、対象者の第１身体情報を経時的に特定する第１身体特定情報を取得する手段である。「第１身体情報」とは、対象者の身体の状態に関する情報であり、例えば、成長速度等を含む概念である。「成長速度」とは、例えば、単位期間（例えば、１年間等）当たりの身長の変化量（増加量）等を含む概念である。「第１身体特定情報」とは、経時的に変化する第１身体情報を特定する情報であり、例えば、対象者における複数の成長速度等を含む概念である。「第１身体特定情報」とは、例えば、判定システムを用いて小児である小学生の判定を行う場合における、小学１〜２年生間の成長速度、小学２〜３年生間の成長速度、小学３〜４年生間の成長速度、小学４〜５年生の成長速度等を特定する情報を含む概念である。
【００３０】
また、「生成手段」とは、対象者とは異なる他の複数の対象者の第２身体情報を経時的に特定する第２身体特定情報に基づいて、対象者の状態を判定するための判定用情報を生成する手段である。また、「生成手段」とは、例えば、第２身体特定情報が特定する第２身体情報の特徴に基づいて、第２身体特定情報の第２身体情報を複数の区分に分類し、分類した複数の区分各々に属する第２身体情報に基づく判定用統計身体特定情報を、判定用情報として生成する手段等を含む概念である。また、「生成手段」とは、例えば、少なくとも、第２身体情報の経時的な変化状態を特徴として、当該第２身体情報を複数の区分に分類する手段等を含む概念である。また、「生成手段」とは、例えば、所定の基準に基づいて、第２身体特定情報が特定する第２身体情報を相互に相対化し、相対化された第２身体情報の経時的な変化状態を特徴として、第２身体情報を複数の区分に分類する手段等を含む概念である。また、「生成手段」とは、例えば、少なくとも、第２身体情報の特徴点の時間要素を特徴として、第２身体情報を複数の区分に分類する手段等を含む概念である。
【００３１】
また、「他の複数の対象者」とは、前述の対象者とは異なる者であって、判定の対象とならない者であり、具体的には、判定用情報を生成する基準となる複数の者等を含む概念であり、例えば、小児、大人、老人、男性、及び女性等を含む概念である。
【００３２】
「第２身体情報」とは、他の複数の対象者の身体の状態に関する情報であり、例えば、成長速度等を含む概念である。「第２身体特定情報」とは、経時的に変化する第２身体情報を特定する情報であり、例えば、複数の他の対象者における複数の成長速度等を含む概念である。
【００３３】
また、「第２身体特定情報」とは、例えば、判定システムを用いて小児である小学生の判定を行う場合における、他の対象者各々における１年毎の成長速度であって、前述の第１身体特定情報が特定する成長速度よりも後の期間までの成長速度を特定する情報等を含む概念である。より詳細には「第２身体特定情報」とは、例えば、少なくとも、他の対象者各々における成長速度がピーク（最大）となる期間よりも後の期間までの成長速度を特定する情報等を含む概念であり、一例としては、前述の第１身体特定情報で例示した各成長速度に加えて、小学５年生〜小学６年生、小学６年生〜中学１年生の成長速度、中学１年生〜中学２年生の成長速度、中学２年生〜中学３年生の成長速度、中学３年生〜高校１年生の成長速度、高校１年生〜高校２年生の成長速度、及び高校２年生〜高校３年生の成長速度等も含む概念である。
【００３４】
また、「判定用情報」とは、対象者の状態を判定するために用いられる情報であり、具体的には、第２身体特定情報が特定する第２身体情に基づく情報であり、例えば、判定用統計身体特定情報等を含む概念である。「判定用統計身体特定情報」とは、分類された複数の区分各々に属する第２身体情報に基づく情報であり、例えば、各区分における身体情報の統計値（一例としては、中央値、又は平均値等）に対応する情報等を含む概念である。
【００３５】
また、「判定手段」とは、取得手段が取得した第１身体特定情報と、生成手段が生成した判定用情報とに基づいて、対象者の状態を判定する手段であり、例えば、複数の区分に対応する複数の判定用統計身体特定情報から、取得手段が取得した第１身体特定情報に対応する判定用統計身体特定情報を１つ選択し、選択した１つの判定用統計身体特定情報に基づいて、対象者の状態を判定する手段等を含む概念であり、また、対象者が思春期早発症であるか否かを、対象者の状態として判定する手段等を含む概念である。なお、以下の説明では、「思春期早発症」を適宜「早発症」と称して説明する。
【００３６】
そして、以下に示す実施の形態では、判定システムを用いて対象者である小学生が早発症であるか否かを判定する場合について説明する。
【００３７】
〔実施の形態の具体的な内容〕
次に、実施の形態の具体的な内容について説明する。
【００３８】
（構成）
まず、本実施の形態に係る判定装置の構成について説明する。図１は、本実施の形態に係る判定装置のブロック図である。
【００３９】
図１に示す判定装置１００は、判定システムであり、具体的には、対象者である小学生が早発症であるか否かを判定するものであり、例えば、通信部１１、操作部１２、表示部１３、記録部１４、及び制御部１５を備えている。
【００４０】
（構成−通信部）
通信部１１は、他の装置との間でネットワークを介した通信を行う通信手段である。この通信部１１の具体的な種類や構成は任意であるが、例えば、公知の通信回路等を備えて構成することができる。
【００４１】
（構成−操作部）
操作部１２は、ユーザによる操作により当該ユーザから各種操作入力を受け付ける受付手段である。この操作部１２の具体的な種類や構成は任意であるが、例えば、マウス又はキーボード等の公知の入力装置等を備えて構成することができる。
【００４２】
（構成−表示部）
表示部１３は、制御部１５の制御に基づいて各種情報を表示する表示手段である。この表示部１３の具体的な種類や構成は任意であるが、例えば、公知の液晶ディスプレイや有機ＥＬディスプレイの如きフラットパネルディスプレイ等を備えて構成することができる。
【００４３】
（構成−記録部）
記録部１４は、判定装置１００の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ、ＲＯＭ、ＵＳＢメモリ、ＳＤカードの如き電気的記録媒体を含む、その他の任意の記録媒体を用いることができる。
【００４４】
また、この記録部１４は、例えば、基準身長情報データベース１４１（以下、データベースを「ＤＢ」と称する）を備えている。
【００４５】
（構成−記録部−基準身長情報ＤＢ）
基準身長情報ＤＢ１４１は、基準身長情報を格納する基準身長情報格納手段である。ここで、「基準身長情報」とは、前述の第２身体特定情報の基となる情報であり、例えば、複数人分の過去の１年毎の身長を特定する情報である。ここでは、例えば、男子６００人分の小学１年生時（つまり、７歳時）〜高校３年生時（つまり、１８歳時）までの１年毎の身長を特定する情報、及び女子６００人の分の男子と同様な期間の身長を特定する情報が基準身長情報として記録されている場合を例示して説明する。なお、この基準身長情報の具体的な格納手法は任意であるが、例えば、ユーザが、操作部１２を介して入力することにより格納されることとしてもよいし、あるいは、通信部１１を介して他の装置との間で通信を行うことにより格納されることとしてもよい。
【００４６】
（構成−制御部）
図１の制御部１５は、判定装置１００を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る判定プログラムは、任意の記録媒体又はネットワークを介して判定装置１００にインストールされることで、判定装置１００の各部を実質的に構成する。
【００４７】
この制御部１５は、機能概念的に、取得部１５１、生成部１５２、及び判定部１５３を備える。取得部１５１とは、対象者の第１身体情報を経時的に特定する第１身体特定情報を取得する取得手段である。生成部１５２は、対象者とは異なる他の複数の対象者の第２身体情報を経時的に特定する第２身体特定情報に基づいて、対象者の状態を判定するための判定用情報を生成する生成手段である。判定部１５３は、取得部１５１が取得した第１身体特定情報と、生成部１５２が生成した判定用情報とに基づいて、対象者の状態を判定する判定手段である。なお、この制御部１５の各部により行われる処理については、後述する。
【００４８】
（処理）
次に、このように構成される判定装置１００によって実行される判定処理について説明する。図２は、判定処理のフローチャートである（以下の各処理の説明ではステップを「Ｓ」と略記する）。「判定処理」とは、例えば、対象者である小学生が早発症であるか否かを判定するである。この「判定処理」を実行するタイミングは任意であるが、例えば、ユーザが対象者の身長を特定する対象者身長情報を、通信部１１又は操作部１２を介して入力した上で、判定処理を開始するための所定操作を行った場合に、起動されて実行するものとして、当該処理が起動されたところから説明する。ここでは、例えば、小学５年生の男子を対象者として、当該対象者の対象者身長情報として、小学１年生時の身長を特定する情報、小学２年生時の身長を特定する情報、小学３年生時の身長を特定する情報、小学４年生時の身長を特定する情報、及び小学５年生時の身長を特定する情報の５個の情報が入力された場合を例示して説明する。
【００４９】
図２のＳＡ１において生成部１５２は、判定用成長速度曲線生成処理を実行する。図３は、判定用成長速度曲線生成処理のフローチャートである。「判定用成長速度曲線生成処理」とは、判定用成長速度曲線を生成する処理である。「判定用成長速度曲線」とは、前述の判定用情報であり、具体的には、判定用統計身体特定情報であり、例えば、対象者である小学生が早発症であるか否かを判定する基準となる情報である。
【００５０】
図３のＳＢ１において生成部１５２は、複数の他の対象者の基準成長速度曲線を生成する。図４は、１人分の基準成長速度曲線を例示した図である。「基準成長速度曲線」とは、他の対象者の各年齢における成長速度を特定する情報である。なお、基準成長速度曲線が「第２身体特定情報」に対応し、また、基準成長速度曲線の成長速度が「第２身体情報」に対応する。
【００５１】
図３のＳＢ１の具体的な処理は任意であるが、例えば、基準身長情報ＤＢ１４１の基準身長情報を取得し、取得した基準身長情報において他の対象者各々の１年毎の成長速度を演算し、演算した各成長速度の間を任意の補間手法で補間することにより、基準成長速度曲線を他の対象者の人数分生成する。ここでの成長速度の演算手法は任意であるが、例えば、「成長速度＝（Ｎ＋１）歳時の身長−Ｎ歳時の身長（Ｎは整数）」の演算式を用いて成長速度を演算する場合について説明する。ここでは、例えば、「小学２年生時（８歳時）の身長」−「小学１年生時（７歳時）の身長」の演算、「小学３年生時（９歳時）の身長」−「小学２年生時（８歳時）の身長」の演算等を行った上で補間することにより、図４等の基準成長速度曲線を生成する。そして、前述の男子６００人及び女子６００人分の基準成長速度曲線を生成する。
【００５２】
図３のＳＢ２において生成部１５２は、ＳＢ１で生成した複数の他の対象者の基準成長速度曲線を複数の区分に分類する（つまり、他の対象者の成長速度を複数の区分に分類する）。図５は、複数人分の基準成長速度曲線を例示した図である。「区分」とは、例えば、任意の基準で区分けされる集合である。ここでの具体的な分類手法は任意であるが、例えば、複数の他の対象者の基準成長速度曲線について、図５（ａ）に示すように、基準成長速度曲線における成長速度がピーク（最大）となる年齢であるピーク年齢がばらつくこと、及び、図５（ｂ）に示すように、基準成長速度曲線の形がばらつくことに着目して、複数の他の対象者の基準成長速度曲線の成長速度の特徴に基づいて分類する手法を用いることとする。なお、「複数の他の対象者の基準成長速度曲線の成長速度の特徴」とは、例えば、図５（ａ）に示すピーク年齢がばらつく特徴（第２身体情報の特徴点の時間要素の特徴）、及び図５（ｂ）に示す基準成長速度曲線の形が相互にばらつく特徴（経時的な変化状態の特徴）等を含む概念である。
【００５３】
図６は、基準成長速度曲線を分類手法の説明図であり、図７は、第１〜第４クラスターを示す図である。「第１〜第４クラスター」とは、区分された基準成長速度曲線の集合である。なお、図７の各曲線は、第１〜第４クラスターに属する基準成長速度曲線の代表値として平均値を示している。
【００５４】
図３のＳＢ２の具体的な処理は任意であり、図５（ｂ）に示す基準成長速度曲線の形が相互にばらつく特徴に基づいて分類する。そして、男子及び女子の各々について分類するが、これらの各分類手法は相互にほぼ同様であるので、男子の分類手法について詳細に説明し、女子の分類手法については男子の分類手法と異なる部分のみ説明する。
【００５５】
具体的には、まず、ＳＢ１で生成した複数の他の対象者の基準成長速度曲線のうちの男子の複数の基準成長速度曲線を取得し、取得した男子の複数の基準成長速度曲線各々について、当該複数の基準成長速度曲線各々のピーク点（成長速度が最大となる点）を相互に原点として一致させることにより、当該複数の基準成長速度曲線各々を相対化する。なお、「複数の基準成長速度曲線各々のピーク点（成長速度が最大となる点）を相互に原点として一致させる」とは、例えば、各基準成長速度曲線の形を維持した状態で、各基準成長速度曲線各々のピーク点を１点で一致させた上で、当該１点を原点とすることを示している。
【００５６】
ここでは、例えば、ＳＢ１で生成した男子６００人分の基準成長速度曲線を取得し、取得した男子６００人分の基準成長速度曲線各々について、図６（ａ）に示すように、ピーク点を原点とすることにより相対化する。なお、図６（ａ）では、１人分の基準成長速度曲線が図示されているが、実際には、６００人分の基準成長速度曲線のピーク点を原点として一致させることにより、６００人分の基準成長速度曲線各々を相対化する。
【００５７】
次に、相対化された各基準成長速度曲線について、ピーク点の年齢及び成長速度を０としたときの、成長速度の相対値を分散共分散行列に基づき主成分分析し、相対化された各基準成長速度曲線を、第１〜第３主成分の固有ベクトルと各固有ベクトルの重みの線形結合として求めた後、当該相対化された各基準成長速度曲線を表す重みを用いて、基準成長速度曲線の形の類似度を基準にして類似するものが同じ区分となるように分類する。
【００５８】
ここでは、例えば、相対化された６００人分の各基準成長速度曲線について、ピーク点の年齢及び成長速度を０としたときの、成長速度の相対値を分散共分散行列に基づき主成分分析し、相対化された各基準成長速度曲線を、図６（ｂ）の第１成分〜第３成分の固有ベクトルと各固有ベクトルの重みの線形結合として求める。一例としては、相対化された各基準成長速度曲線を、「Ｗ１（重み）×第１主成分の固有ベクトル＋Ｗ２（重み）×第２主成分の固有ベクトル＋Ｗ３（重み）×第３主成分の固有ベクトル（なお、Ｗ１〜Ｗ３は、各基準成長速度曲線相互間において異なる）」として求める。そして、各基準成長速度曲線に対応する重み（Ｗ１、Ｗ２、Ｗ３）に着目して、形が相互に類似する基準成長速度曲線が同じ区分となるように、例えば、４個の区分に分類する。なお、ここでの分類手法は任意であるが、例えば、公知のクラスターに関するロジックを適用してもよい。このように処理することにより、例えば、６００人分の各基準成長速度曲線が、図７の第１〜第４クラスターのうちの何れか１個に対応する区分に分類される。なお、一例としては、図７の第１〜第４クラスターに対応する区分に、２００人、２００人、１００人、１００人分の基準成長速度曲線が分類される。
【００５９】
なお、ＳＢ１で生成した女子６００人分の基準成長速度曲線については、男子の場合と同様な処理を行った上で、２個の区分に分類する。なお、ここでは、男子の区分数を４個とし、女子の区分数を２個としる場合について説明するが、早発症の判定精度を考慮しつつ任意の区分数に分類するように構成してもよい（後述するＳＢ３の区分数も同様である）。
【００６０】
図３のＳＢ３において生成部１５２は、ＳＢ２で分類した各基準成長速度曲線を、図５（ａ）に示すピーク年齢がばらつく特徴に基づいて分類する（つまり、他の対象者の成長速度を複数の区分に分類する）。具体的には任意であるが、ＳＢ２で分類した１つの区分において、各基準成長速度曲線を取得し、取得した各基準成長速度曲線のピーク年齢を基準に、６個の区分を生成し、各基準成長速度曲線を、生成した６個区分のうちの１つの区分に分類する。ここで６個の区分の生成について具体的には、ＳＢ２で分類した区分に属する基準成長速度曲線のピーク年齢の平均値、及び±１ＳＤ、±２ＳＤを演算し、演算結果に基づいて、−２ＳＤ未満の区分（以下、第１区分）、−２ＳＤ以上〜−１ＳＤ未満の区分（以下、第２区分）、−１ＳＤ以上〜０ＳＤ（平均値）未満の区分（以下、第３区分）、０ＳＤ以上〜＋１ＳＤ未満の区分（以下、第４区分）、＋１ＳＤ以上〜＋２ＳＤ未満の区分（以下、第５区分）、及び＋２ＳＤ以上の区分（以下、６区分）の６個の区分を生成する。なお、「ＳＤ」とは、例えば、標準偏差（Ｓｔａｎｄａｒｄ  Ｄｅｖｉａｔｉｏｎ）に対応する概念である。そして、この処理を、ＳＢ２で分類した４つの区分各々に対して行う。
【００６１】
ここでは、例えば、男子についてはＳＢ２において、前述のように、図７の第１〜第４クラスターに対応する区分に、２００人、２００人、１００人、１００人分の基準成長速度曲線が分類されたので、第１クラスターに対応する区分に分類された２００人についてピーク年齢の平均値、及び±１ＳＤ、±２ＳＤを演算し、第１〜第６区分を生成し、２００人分の基準成長速度曲線を、生成した第１〜第６区分の何れか１つの区分に分類する。そして、図７の第２〜第４クラスターに対応する区分に分類された２００人、１００人、１００人分の基準成長速度曲線についても同様な処理を行うことにより、第１〜第６区分の何れか１つの区分に分類する。このように、ＳＢ２及びＳＢ３の処理を行うことにより、男子６００人の基準成長速度曲線は、ＳＢ２で４個の区分に分類され、更に、ＳＢ３での６個の区分に分類されるので、２４個（４個×６個）の区分に分類されることになる。なお、女子６００人の基準成長速度曲線は、ＳＢ２で２個の区分に分類され、更に、ＳＢ３での６個の区分に分類されるので、１２個（２個×６個）の区分に分類されることになる。
【００６２】
図３のＳＢ４において生成部１５２は、判定用成長速度曲線を生成する。具体的には任意であるが、例えば、ＳＢ２及びＳＢ３で分類した区分に属する基準成長速度曲線の各年齢の成長速度の中央値を演算し、演算結果に基づいて、判定用成長速度曲線を生成する。
【００６３】
図８は、判定用成長速度曲線を例示した図である。ここでは、例えば、ＳＢ２にて図７の第２クラスターに対応する区分に分類された男子２００人分の基準成長速度曲線のうちの、ＳＢ３で第１区分（つまり、−２ＳＤ未満の区分）に分類された基準成長速度曲線の各年齢の成長速度の中央値を演算し、演算結果に対応する図８の判定用成長速度曲線Ｌ１を生成する。同様にして、ＳＢ３で第２区分〜第６区分に分類された基準成長速度曲線の各年齢の成長速度の中央値を演算し、演算結果に対応する図８の判定用成長速度曲線Ｌ２〜Ｌ６を生成する。また、同様にして、ＳＢ２にて図７の第１、第３、及び第４クラスターに対応する区分に分類された男子２００人、１００人、１００人分の基準成長速度曲線のうちの、ＳＢ３で第１区分〜第６区に分類された基準成長速度曲線に対応する判定用成長速度曲線を生成することにより、２４個の判定用成長速度曲線を生成する。そして、判定用成長速度曲線生成処理をリターンする。
【００６４】
図２に戻って、ＳＡ２において取得部１５１は、対象者成長速度情報を取得する。「対象者成長速度情報」とは、対象者の複数の成長速度を特定する情報である。なお、対象者成長速度情報が「第１身体特定情報」に対応し、また、対象者成長速度情報の成長速度が「第１身体情報」に対応する。図９は、対象者成長速度情報を例示した図である。ＳＡ２の処理について具体的には任意であるが、例えば、判定処理の起動時に入力された、対象者の身長を特定する情報を取得し、取得した身長を特定する情報に基づいて、複数の成長速度を演算し、演算した複数の成長速度を特定する情報を対象者成長速度情報として取得する。
【００６５】
ここでは、例えば、対象者である小学５年生の男子の小学１年生時の身長を特定する情報、小学２年生時の身長を特定する情報、小学３年生時の身長を特定する情報、小学４年生時の身長を特定する情報、及び小学５年生時の身長を特定する情報の５個の情報を取得し、図３のＳＢ１の場合と同様な処理を行うことにより、小学１〜２年生間の成長速度、小学２〜３年生間の成長速度、小学〜４年生間の成長速度、小学４〜５年生間の成長速度の４個の成長速度を演算し、この演算した４個の成長速度を特定する図９の対象者成長速度情報を取得する。
【００６６】
図２のＳＡ３において判定部１５３は、対象者が早発症であるか否かを判定する。具体的には任意であるが、例えば、ＳＡ２で取得した対象者成長速度情報を取得し、図３のＳＢ４で生成した、当該対象者と同じ性別用の判定用成長速度曲線において、当該取得した対象者成長速度情報に対応する判定用成長速度曲線を選択し、選択した判定用成長速度曲線に基づいて判定する。なお、ここでの判定用成長速度曲線を選択する具体的な手法は任意であるが、例えば、取得した対象者成長速度情報に最も合致するものを選択することとし、一例としては、取得した対象者成長速度情報に対しての差の二乗和が最小となるものを選択する手法を用いてもよい。そして、選択した判定用成長速度曲線が、図７の第１〜第４クラスターに対応する区分における、第１区分（つまり、ピーク年齢が−２ＳＤ未満の区分）の判定用成長速度曲線である場合、早発症であるものと判定する。また、選択した判定用成長速度曲線が、図７の第１〜第４クラスターに対応する区分における、第１区分の判定用成長速度曲線でない場合（つまり、第２〜第６区分の判定用成長速度曲線である場合）、早発症でないものと判定する。
【００６７】
ここでは、例えば、ＳＡ２で取得した図９の対象者成長速度情報を取得し、図３のＳＢ４で生成した男子用の２４個の判定用成長速度曲線において、当該取得した図９の対象者成長速度情報に対応する判定用成長速度曲線として、例えば図８の判定用成長速度曲線Ｌ１を選択する。この場合、図８の判定用成長速度曲線Ｌ１は、第１区分（つまり、ピーク年齢が−２ＳＤ未満の区分）の判定用成長速度曲線であるので、早発症であるものと判定する。
【００６８】
なお、この後の処理は任意であるが、例えば、制御部１５が、ＳＡ３の判定結果を表示部１３を介して出力することにより、ユーザに対して判定結果を報知することとしてもよい。これにて、判定処理を終了する。
【００６９】
（早発症の判定について）
上述の判定処理を行うことにより、男子については、４個の成長速度を用いて早発症であるか否かを判定することができ、また、女子については、具体的には例示していないが、小学１〜２年生間の成長速度、及び小学２〜３年生間の成長速度の２個の成長速度を用いて早発症であるか否かを判定することができるので、早期に早発症であるか否かを判定することが可能となる。
【００７０】
（実施の形態の効果）
このように本実施の形態によれば、取得した対象者成長速度情報と、生成した判定用成長速度曲線とに基づいて、対象者の状態を判定することにより、例えば、対象者の状態の判定を迅速且つ客観的に行うことが可能となる。特に、例えば、対象者の成長過程の個人差を考慮して、適切に判定することが可能となる。
【００７１】
また、基準成長速度曲線の成長速度の特徴に基づいて当該基準成長速度曲線の成長速度を複数の区分に分類し、分類した複数の区分各々に属する成長速度に基づく判定用成長速度曲線を生成することにより、例えば、基準成長速度曲線の成長速度の特徴を判定用成長速度曲線に反映させることができるので、対象者の状態の判定精度を向上させることが可能となる。
【００７２】
また、基準成長速度曲線の成長速度の経時的な変化状態を特徴として、当該基準成長速度曲線の成長速度を複数の区分に分類することにより、例えば、基準成長速度曲線の成長速度の経時的な変化状態を判定用成長速度曲線に反映させることができるので、対象者の状態の判定精度を向上させることが可能となる。
【００７３】
また、所定の基準に基づいて、基準成長速度曲線の成長速度を相互に相対化し、相対化された基準成長速度曲線の成長速度の経時的な変化状態を特徴として、当該基準成長速度曲線の成長速度を複数の区分に分類することにより、例えば、基準成長速度曲線の成長速度の分類精度を向上させることができるので、対象者の状態の判定精度を向上させることが可能となる。
【００７４】
また、基準成長速度曲線の成長速度の特徴点の時間要素を特徴として、第２身体情報を複数の区分に分類することにより、例えば、基準成長速度曲線の成長速度が最大となるピーク年齢のばらつき（第２身体情報の特徴点の時間要素）を判定用成長速度曲線に反映させることができるので、対象者の状態の判定精度を向上させることが可能となる。
【００７５】
また、複数の区分に対応する複数の判定用成長速度曲線から、取得した対象者成長速度情報に対応する判定用成長速度曲線を１つ選択し、選択した１つの判定用成長速度曲線に基づいて、対象者の状態を判定することにより、例えば、対象者の状態を比較的単純な処理で判定することができるので、迅速に判定することが可能となる。
【００７６】
また、第１身体情報は対象者の成長速度であり、第２身体情報は他の複数の対象者の成長速度であるので、例えば、成長速度に基づいて対象者の状態を判定することが可能となる。
【００７７】
また、対象者が早発症であるか否かを対象者の状態として判定することにより、例えば、対象者が早発症であるかの判定を迅速且つ客観的に行うことが可能となる。
【００７８】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００８０】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。また、記録されている情報のデータ構造及び記録先等を任意に変更してもよい。
【００８１】
（判定対象の対象者について）
また、上記実施形態では、図２の判定処理において、対象者が小学５年生である場合を例示して説明したが、例えば、小学５年生未満又は小学６年生以上を対象者としてもよい。また、多数の対象者を自動的に処理するように構成してもよい。
【００８２】
（固有ベクトルの成分の数について）
また、上記実施の形態では、図３のＳＢ１で説明した固有ベクトルの成分の個数が３個である場合について説明したが、これに限らない。例えば、固有ベクトルの成分の個数を２個としてもよいし、あるいは、４個以上としてもよい。
【００８３】
（区分の数について）
また、上記実施の形態では、男子については２４個の区分に分類し、女子については１２個の区分に分類する場合について説明したが、これに限らず、男子及び女子で同数の区分に分類してもよいし、あるいは、他の個数の区分に分類してもよい。
【００８４】
（判定用成長速度曲線について）
また、上記実施の形態の図３のＳＢ４においては、中央値を演算して判定用成長速度曲線を生成する場合を例示したが、中央値の代わりにその他の統計値（例えば、平均値等）を延在して判定用成長速度曲線を生成するように構成してもよい。
【００８５】
（判定処理について）
また、上記実施の形態の図３のＳＢ４で生成される判定用成長速度曲線を記録部１４に記録しておき、図２の判定処理において、ＳＡ１の処理を省略した上で、当該記録されている判定用成長速度曲線を用いて、ＳＡ２及びＳＡ３の処理を行うように構成してもよい。
【００８６】
（特徴について）
また、実施の形態の特徴及び変形例の特徴を任意に組み合わせてもよい。
【００８７】
（付記）
付記１の判定システムは、対象者の状態を判定する判定システムであって、前記対象者の第１身体情報を経時的に特定する第１身体特定情報を取得する取得手段と、前記対象者とは異なる他の複数の対象者の第２身体情報を経時的に特定する第２身体特定情報に基づいて、前記対象者の状態を判定するための判定用情報を生成する生成手段と、前記取得手段が取得した前記第１身体特定情報と、前記生成手段が生成した前記判定用情報とに基づいて、前記対象者の状態を判定する判定手段と、を備える。
【００８８】
付記２の判定システムは、付記１に記載の判定システムにおいて、前記生成手段は、前記第２身体特定情報が特定する前記第２身体情報の特徴に基づいて、前記第２身体特定情報の前記第２身体情報を複数の区分に分類し、分類した前記複数の区分各々に属する前記第２身体情報に基づく判定用統計身体特定情報を、前記判定用情報として生成する。
【００８９】
付記３の判定システムは、付記２に記載の判定システムにおいて、前記生成手段は、少なくとも、前記第２身体情報の経時的な変化状態を特徴として、当該第２身体情報を前記複数の区分に分類する。
【００９０】
付記４の判定システムは、付記３に記載の判定システムにおいて、前記生成手段は、所定の基準に基づいて、前記第２身体特定情報が特定する前記第２身体情報を相互に相対化し、相対化された前記第２身体情報の経時的な変化状態を特徴として、当該第２身体情報を前記複数の区分に分類する。
【００９１】
付記５の判定システムは、付記２から４の何れか一項に記載の判定システムにおいて、前記生成手段は、少なくとも、前記第２身体情報の特徴点の時間要素を特徴として、前記第２身体情報を前記複数の区分に分類する。
【００９２】
付記６の判定システムは、付記２から５の何れか一項に記載の判定システムにおいて、前記判定手段は、前記複数の区分に対応する複数の前記判定用統計身体特定情報から、前記取得手段が取得した前記第１身体特定情報に対応する前記判定用統計身体特定情報を１つ選択し、選択した１つの前記判定用統計身体特定情報に基づいて、前記対象者の状態を判定する。
【００９３】
付記７の判定システムは、付記１から６の何れか一項に記載の判定システムにおいて、前記第１身体情報は、前記対象者の成長速度であり、前記第２身体情報は、前記他の複数の対象者の成長速度である。
【００９４】
付記８の判定システムは、付記７に記載の判定システムにおいて、前記判定手段は、前記対象者が早発症であるか否かを、前記対象者の状態として判定する。
【００９５】
付記９の判定プログラムは、対象者の状態を判定する判定プログラムであって、コンピュータを、前記対象者の第１身体情報を経時的に特定する第１身体特定情報を取得する取得手段と、前記対象者とは異なる他の複数の対象者の第２身体情報を経時的に特定する第２身体特定情報に基づいて、前記対象者の状態を判定するための判定用情報を生成する生成手段と、前記取得手段が取得した前記第１身体特定情報と、前記生成手段が生成した前記判定用情報とに基づいて、前記対象者の状態を判定する判定手段と、として機能させる。
【００９６】
（付記の効果）
付記１に記載の判定システム、及び付記９に記載の判定プログラムによれば、取得した第１身体特定情報と、生成した判定用情報とに基づいて、対象者の状態を判定することにより、例えば、対象者の状態の判定を迅速且つ客観的に行うことが可能となる。特に、例えば、対象者の成長過程の個人差を考慮して、適切に判定することが可能となる。
【００９７】
付記２に記載の判定システムによれば、第２身体情報の特徴に基づいて第２身体情報を複数の区分に分類し、分類した複数の区分各々に属する第２身体情報に基づく判定用統計身体特定情報を生成することにより、例えば、第２身体情報の特徴を判定用統計身体特定情報に反映させることができるので、対象者の状態の判定精度を向上させることが可能となる。
【００９８】
付記３に記載の判定システムによれば、第２身体情報の経時的な変化状態を特徴として、当該第２身体情報を複数の区分に分類することにより、例えば、第２身体情報の経時的な変化状態を判定用統計身体特定情報に反映させることができるので、対象者の状態の判定精度を向上させることが可能となる。
【００９９】
付記４に記載の判定システムによれば、所定の基準に基づいて、第２身体情報を相互に相対化し、相対化された第２身体情報の経時的な変化状態を特徴として、当該第２身体情報を複数の区分に分類することにより、例えば、第２身体情報の分類精度を向上させることができるので、対象者の状態の判定精度を向上させることが可能となる。
【０１００】
付記５に記載の判定システムによれば、第２身体情報の特徴点の時間要素を特徴として、第２身体情報を複数の区分に分類することにより、例えば、第２身体情報の特徴点の時間要素を判定用統計身体特定情報に反映させることができるので、対象者の状態の判定精度を向上させることが可能となる。
【０１０１】
付記６に記載の判定システムによれば、複数の区分に対応する複数の判定用統計身体特定情報から、取得した第１身体特定情報に対応する判定用統計身体特定情報を１つ選択し、選択した１つの判定用統計身体特定情報に基づいて、対象者の状態を判定することにより、例えば、対象者の状態を比較的単純な処理で判定することができるので、迅速に判定することが可能となる。
【０１０２】
付記７に記載の判定システムによれば、第１身体情報は対象者の成長速度であり、第２身体情報は他の複数の対象者の成長速度であるので、例えば、成長速度に基づいて対象者の状態を判定することが可能となる。
【０１０３】
付記８に記載の判定システムによれば、対象者が早発症であるか否かを対象者の状態として判定することにより、例えば、対象者が早発症であるかの判定を迅速且つ客観的に行うことが可能となる。
【符号の説明】
【０１０４】
１１  通信部
１２  操作部
１３  表示部
１４  記録部
１５  制御部
１００  判定装置
１４１  基準身長情報ＤＢ
１５１  取得部
１５２  生成部
１５３  判定部
Ｌ１  判定用成長速度曲線
Ｌ２  判定用成長速度曲線
Ｌ３  判定用成長速度曲線
Ｌ４  判定用成長速度曲線
Ｌ５  判定用成長速度曲線
Ｌ６  判定用成長速度曲線
【図１】
2020149154.tif 000003
【図２】
2020149154.tif 000004
【図３】
2020149154.tif 000005
【図４】
2020149154.tif 000006
【図５】
2020149154.tif 000007
【図６】
2020149154.tif 000008
【図７】
2020149154.tif 000009
【図８】
2020149154.tif 000010
【図９】
2020149154.tif 000011